(57)【要約】【課題】収納方法の選択肢を広げ収納しやすいスーツケースを提供することを目的とする。【解決手段】スーツケース１００は、蓋部１０、胴体部２０、及び連結部３０を備えている。蓋部１０は、面部１１と、側面部１２と、側面部１２の内側面に接着された内枠部１３とを有する。胴体部２０は、底部２１と、側面部２２と、側面部２２に取り付けられた取っ手部２３とを有する。連結部３０は、連結材３１と、ファスナー部３２とを有する。連結部３０の第一端部Ｔ１は蓋部１０の側面部１２の内側面に接着されており、他方の第二端部Ｔ２は胴体部２０の側面部２２の内側面に接着されている。そして、蓋部１０の閉口時には、連結部３０が蓋部１０と胴体部２０とによって形成される収容空間内へ折れ曲がる。【選択図】図１
0003208824.tif 000002
【実用新案登録請求の範囲】
【請求項１】
蓋部と、
前記蓋部とともに収容空間を形成する胴体部と
前記蓋部と前記胴体部とを連結する連結部とを備え、
前記連結部は、当該連結部を結合又は分割するファスナー部を有し、
前記連結部は、前記蓋部が閉じるときに前記収容空間で折れ曲がること、
を特徴とするスーツケース。
【請求項２】
前記連結部は、前記蓋部の内側面に接着する第一端部と、前記胴体部の内側面に接着する第二端部と、を有する、
ことを特徴とする請求項１に記載のスーツケース。
【請求項３】
前記連結部の数が複数であり、
各連結部の前記第一端部及び前記第二端部の幅の長さが、前記蓋部の側面又は前記胴体部の側面の幅の長さの略３等分以下である、
ことを特徴とする請求項２に記載のスーツケース。
【考案の詳細な説明】
【技術分野】
【０００１】
本考案は、旅行等の際に使用するスーツケースに関するものである。
【背景技術】
【０００２】
従来より、旅行や外出の際に荷物を収納するための鞄として、箱状のスーツケースやトランクなどが使用されている。一般的なスーツケースは、例えば特許文献１のように、蓋体と胴体とが蝶番を介して開閉可能に構成されている。そして、蓋体と胴体とが分離しないよう連結されている。
【先行技術文献】
【特許文献】
【０００３】
【特許文献１】特開２０１４−８３１７号公報
【考案の概要】
【考案が解決しようとする課題】
【０００４】
旅行などに利用されるスーツケースは、収納できる荷物の量を多くしようとすればするほど型が大きくなる。そのため、特に蓋体と胴体とが一体となった箱状のスーツケースになると、スーツケースそのものを収納するために広いスペースが必要となってしまい収納が困難になることがあった。
【０００５】
また、蝶番などによって蓋体と胴体とが連結される構成の場合、蓋体の閉口時に蝶番の凸部が外側へ突出してしまう。そのため、蓋体と胴体との連結部側の面を下にしてスーツケースを収納しようとすると、蝶番の凸部によって床面が傷ついてしまうことがあった。そして、床面に傷がつかないようにしようとすれば、スーツケースの設置方向を考慮しなければならず、収納方法が制限されることがあった。
【０００６】
本考案は、上記のような問題点を解決することを課題として考案されたもので、収納方法の選択肢を広げ収納しやすいスーツケースを提供することを目的とする。
【課題を解決するための手段】
【０００７】
本考案のスーツケース１００は、前記課題を解決するために以下の構成を備えている。
（１）  蓋部と、
蓋部とともに収容空間を形成する胴体部と
蓋部と胴体部とを連結する連結部とを備え、
連結部は、連結部を結合又は分割するファスナー部を有し、
連結部は、蓋部が閉じるときに収容空間で折れ曲がること、
を特徴とするスーツケース。
【０００８】
この構成では、蓋部と胴体部とを連結する連結部がファスナー部により結合又は分割される。これにより、蓋部と胴体部とを連結又は分離することができるため、蓋部と胴体部とを別々又は一体のままで収納することができる。さらに、蓋部が閉じるときに、蓋部と胴体部とを連結する連結部が、蓋部と胴体部とによって形成される収容空間に折れ曲がるため、蓋部の閉口時に連結部がスーツケースの外側へ突出することがない。
【０００９】
したがって、本考案のスーツケースによれば、収納スペース等に応じて蓋部と胴体部とを別々又は一体のままで収納することができ、かつ設置面を気にすることなく収納することができる。
【００１０】
（２）連結部は、蓋部の内側面に接着する第一端部と、胴体部の内側面に接着する第二端部と、を有する、ことを特徴とする上記（１）に記載のスーツケース。
【００１１】
この構成では、連結部の第一端部及び第二端部がそれぞれ蓋部と胴体部の内側面に接着されているため、蓋部の閉口時に連結部はスーツケースの外側（外観）には全く現れない（突出しない）構成となる。そのため、設置面を気にすることなくスーツケースを収納することができる。
【００１２】
（３）連結部の数が複数であり、
各連結部の第一端部及び第二端部の幅の長さが、蓋部の側面又は胴体部の側面の幅の長さの略３等分以下である、
ことを特徴とする上記（２）に記載のスーツケース。
【００１３】
この構成では、連結部の総面積を少なくすることができ、スーツケース全体として軽量化を図ることができる。また、連結部の数を複数とすることで蓋部と胴体部との連結強度を維持することができる。
【考案の効果】
【００１４】
本考案は、収納方法の選択肢を広げ収納しやすいスーツケースを提供することができる。
【図面の簡単な説明】
【００１５】
【図１】本考案の第一実施形態に係るスーツケース１００の全体斜視図である。
【図２】本考案の第一実施形態に係るスーツケース１００の閉口時の一例を示す図である。
【図３】本考案の第一実施形態に係るスーツケース１００の分離状態の一例を示す図である。
【図４】本考案の第二実施形態に係るスーツケース１００の全体斜視図である。
【考案を実施するための形態】
【００１６】
以下、本考案の第一実施形態に係るスーツケース１００について説明する。
【００１７】
図１は、本考案の第一実施形態に係るスーツケース１００の全体斜視図である。図２は、本考案の第一実施形態に係るスーツケース１００の閉口時の一例を示す図である。図３は、本考案の第一実施形態に係るスーツケース１００の分離状態の一例を示す図である。
【００１８】
スーツケース１００は、箱状の鞄であり、所定の容量を有するものとして深底構造に形成されている。また、スーツケース１００は、蓋部１０、胴体部２０、及び連結部３０を備えている。
【００１９】
蓋部１０は、面部１１と、側面部１２と、側面部１２の内側面に接着された内枠部１３とを有する。なお、蓋部１０は、スーツケース１００の開口部を開閉すべく、連結部３０を介して胴体部２０と連結している。
【００２０】
胴体部２０は、底部２１と、側面部２２と、側面部２２に取り付けられた取っ手部２３とを有する。
【００２１】
蓋部１０及び胴体部２０は、いずれもその芯材として所定肉厚の板紙材が折曲して箱状に形成されており、その板紙材には化粧用の耐水紙材、布材、麻材、その他のシート材・フィルム材のカバーなどが接着されている。なお、蓋部１０及び胴体部２０の芯材としては板紙材に限られず、合成樹脂材や金属材などであってもよい。
【００２２】
内枠部１３は、蓋部１０の閉口時に、胴体部２０の上面（底部２１に対向する開口面）の周縁と接合する。内枠部１３の素材としては、胴体部２０の上面（底部２１に対向する開口面）の周縁との接合に耐えることができる程度の強度を有する木材などが使用される。
【００２３】
そして、蓋部１０の面部１１の面積が胴体部２０の底部２１の面積よりも胴体部２０の側面部２２の肉厚分ほど一回り大きくなっているため、蓋部１０の閉口時には、蓋部１０が胴体部２０の開口面を覆い被さるような構成となる。
【００２４】
連結部３０は、連結材３１と、ファスナー部３２とを有する。
【００２５】
連結部３０の第一端部Ｔ１及び第二端部Ｔ２は、後述するスライダー３２ｃのスライド方向に対して略平行方向の端部である。図１に示すように、連結部３０の第一端部Ｔ１は蓋部１０の側面部１２の内側面に接着されており、他方の第二端部Ｔ２は胴体部２０の側面部２２の内側面に接着されている。これにより、蓋部１０と胴体部２０とが連結部３０を介して連結される。なお、蓋部１０の側面部１２の内側面及び胴体部２０の側面部２２の内側面は、後述する収容空間を形成する面の一つである。
【００２６】
連結材３１は、ポリエステルやナイロンなどの素材から構成されており、伸縮性及び柔軟性を備えている。そのため、図２に示すように、蓋部１０の閉口時には、連結部３０が蓋部１０と胴体部２０とによって形成される収容空間内へ折れ曲がる。なお、収容空間とは、蓋部１０と胴体部２０とによって形成される空間であり、荷物等の収容対象物が収容されるスーツケース１００の内部の空間のことである。
【００２７】
また、前述のとおり連結部３０の第一端部Ｔ１及び第二端部Ｔ２はそれぞれ蓋部１０と胴体部２０の側面部の内側面に接着されているため、蓋部１０の閉口時に連結部３０はスーツケース１００の外側（外観）に全く現れない（突出しない）構成となる。
【００２８】
ファスナー部３２は、噛合・分離可能な一対のファスナー片３２ ａ 、３２ ｂ 、スライダー３２ｃ、及び止め具３２ｄとからなる。
【００２９】
スライダー３２ｃは、ファスナー片３２ａ又は３２ｂのいずれか一方に装着されている。また、端末金具などからなる止め具３２ｄは、スライダー３２ｃが装着されているファスナー片３２ａ又は３２ｂのいずれか一方の端部に設けられている。このスライダー３２ｃのスライドによりファスナー片３２ａと３２ｂとが噛合・分離され、連結部３０を結合・分割する。そして、連結部３０を結合・分割することにより、蓋部１０と胴体部２０とを連結又は分離（図３参照）することができる。なお、スライダー３２ｃのスライド方向に対して略垂直方向の連結部３０の幅（以下、「連結幅」という。）の長さは、蓋部１０の開閉時に蓋部１０と胴体部２０とが干渉し合わない程度の最低限の長さとする。
【００３０】
また、本実施形態においては、連結部３０の第一端部Ｔ１及び第二端部Ｔ２の幅の長さを蓋部１０と胴体部２０のそれぞれの側面部の幅の長さと略同一としたが、これに限られるものではない。蓋部１０と胴体部２０との連結を維持することができる程度の強度を保つことができるのであれば、第一端部Ｔ１及び第二端部Ｔ２の幅の長さは蓋部１０と胴体部２０のそれぞれの側面部の幅の長さよりも短くてもよい。連結部３０の第一端部Ｔ１及び第二端部Ｔ２の幅の長さを短くすることにより、連結材３１の面積を少なくすることができ、スーツケース１００全体として軽量化を図ることができる。
【００３１】
例えば、第一端部Ｔ１及び第二端部Ｔ２の幅の長さを短くして、図４に示すように連結部３０を複数設けてもよい。それぞれの連結部３０は第一実施形態に係る連結部３０と同じ構成である。また、それぞれの連結部３０の第一端部Ｔ１及び第二端部Ｔ２の幅の長さは同じ長さとする。
【００３２】
以下、本考案の第二実施形態に係るスーツケース１００について説明する。
【００３３】
図４は、本考案の第二実施形態に係るスーツケース１００の全体斜視図である。
【００３４】
第二実施形態のスーツケース１００では、連結部３０の第一端部Ｔ１及び第二端部Ｔ２の幅の長さを、蓋部１０の側面部１２又は胴体部２０の側面部２２の幅の長さの略３等分以下とする。これにより、連結部３０の連結材３１の総面積を小さくすることができ、スーツケース全体として軽量化を図ることができる。また、連結部３０を複数設けることで、蓋部１０と胴体部２０との連結強度を維持することができる。
【００３５】
本考案に係るスーツケースでは、蓋部１０と胴体部２０とを連結又は分離することができるため、収納スペース等に応じて蓋部１０と胴体部２０とを別々又は一体のままで収納することが可能となる。また、連結部３０はファスナー部３２によって結合・分割が可能であるため、蓋部１０と胴体部２０との連結・分離が容易である。
【００３６】
また、連結部３０は、蓋部１０の閉口時は蓋部１０と胴体部２０とによって形成される収容空間内へ折れ曲がる。さらに連結部３０の端部は蓋部１０と胴体部２０の側面部の内側面に接着されている。そのため、連結部３０がスーツケースの外側へ突出することがない。したがって、蓋部１０と胴体部２０の連結部側を下にしてスーツケース１００を設置しても床面が傷つくことがないため、設置面を気にすることなくスーツケース１００を収納することができる。
【００３７】
なお、本実施形態では、旅行用のスーツケースとしてスーツケース１００を例に説明したが、鞄の種類、大きさ等はこれに限られない。
【００３８】
最後に、前記実施形態の説明は、すべての点で例示であって、制限的なものではないと考えられるべきである。本考案の範囲は、上述の実施形態ではなく、実用新案登録請求の範囲によって示される。さらに、本考案の範囲には、実用新案登録請求の範囲と均等の意味および範囲内でのすべての変更が含まれることが意図される。
【符号の説明】
【００３９】
１０      蓋部
１１      面部
１２      側面部
１３      内枠部
２０      胴体部
２１      底部
２２      側面部
２３      取っ手部
３０      連結部
３１      連結材
３２      ファスナー部      
３２ａ    ファスナー片
３２ｂ    ファスナー片
３２ｃ    スライダー
３２ｄ    止め具
１００    スーツケース    
Ｔ１      第一端部
Ｔ２      第二端部
【図１】
0003208824.tif 000003
【図２】
0003208824.tif 000004
【図３】
0003208824.tif 000005
【図４】
0003208824.tif 000006